(57)【特許請求の範囲】
【請求項１】
主として家庭から出る資源ゴミを分別回収する資源ゴミ回収ヤードであって、
入口から出口に向かう車両進入路に沿って配される停車スペースと、該各停車スペースに対応して配される計量装置とを備えた回収ゾーン組が１組又は複数組設置され、
前記計量装置は、資源ゴミの種類に対応したゴミを投入可能なゴミ投入容器を載置可能で一括計量又は個別計量可能な計量台、及び、該計量台に接続されてゴミ投入量を計量する計量部を備え、
さらに、前記計量装置の計量部からの計量値信号を受信するマイクロコンピュータ（ＭＣ）を備え、
該ＭＣは、前記計量値信号から一度分投入量を求めるとともに、該一度分投入量に設定単価を掛けて環境報奨ポイントを求める演算部、及び、該環境報奨ポイントに係る情報を外部記憶手段や印字手段に出力する出力部を備え、
さらに、前記停車スペース及び該停車スペースに対応する計量装置が連続的に２組以上配されているとともに、前記停車スペースおよび前記計量装置が共に直列式又は並列式に配置されて、前記各ゴミ投入容器にドライブスルーによる資源ゴミの投入が可能とされている、
ことを特徴とする資源ゴミ回収ヤード。
【請求項２】
前記ＭＣは、一度分投入毎に前記一括計量後の合計投入量を記憶する記憶部を備えるとともに、前記演算部が、該記憶部からの一度分投入前の合計投入量を呼びだして、一度分投入後の合計投入量との累積差から前記一度分投入量を求める処理をするものであることを特徴とする請求項１記載の資源ゴミ回収ヤード。
【請求項３】
前記資源ゴミ回収ヤードがスーパ・コンビニ等の小売店の一隅に設けられるとともに、前記環境報奨ポイントが該小売店の買い物に使用可能とされていることを特徴とする請求項１又は２記載の資源ゴミ回収ヤード。
【請求項４】
さらに、前記ゴミ投入容器が一杯になったとき、フォークリフトにより移動させるストック／運搬コンテナが設置可能とされていることを特徴とする請求項１、２又は３記載の資源ゴミ回収ヤード。
【請求項５】
前記ゴミ投入容器は、二種の資源ゴミが回収可能な金属カゴ体で、前記フォークリフトにより持ち上げ、回転（反転）させて、ストック／運搬用コンテナに投下搬入可能なように、一対のフォーク挿入用穴を備え、さらに、一方にはロック機構付きの投下用扉が取付けられている、ことを特徴とする請求項１〜４いずれか一記載の資源ゴミ回収ヤード。
【発明の詳細な説明】
【技術分野】
【０００１】
本発明は、主として家庭から出る資源ゴミを分別回収する資源ゴミ回収ヤードに関し、特に、スーパ・コンビニ等の小売店の一隅に設けるのに好適な発明に係る。
【０００２】
本発明では、「資源ゴミ」は、主として家庭から出るもので循環使用可能なものをいい、紙製ゴミ（雑古紙、新聞紙、雑誌、牛乳パック、段ボール等）、布製ゴミ（古布、古着等）、プラスチックゴミ（プラスチック容器、フィルム等）や金属製ゴミ（アルミ、スチール缶）等が含まれる。
【背景技術】
【０００３】
昨今、環境問題意識の高まりから、これまでの大量生産・消費・廃棄型の社会経済活動や日常の生活スタイルが見直されつつある。
【０００４】
このため、従来、ゴミとして廃棄されていた廃品を資源ゴミとして循環（リサイクル）使用することにより、ゴミを可及的に出さないゴミゼロ社会への転換が求められている。特に、可燃性ゴミを資源とすることは、ＣＯ2削減の見地からも重要である。
【０００５】
このゴミゼロ社会を実現するために、各自治体、企業さらには家庭から出る循環可能な廃品（循環資源）の回収促進が希求されている。
【０００６】
特に、家庭から出る可燃性の資源ゴミは、古紙回収業者（ちり紙交換業者）が町内を巡回して回収していたが、採算に合わない。このため、ちり紙交換業者の巡回は殆ど見られなくなった。
【０００７】
それに替わって、地方自治体の指導により町内会で、当番制等により資源ゴミを、定期的に分別回収している。しかし、回収日時・時間が決まっており、その間隔も、当番制であることもあって、１〜２ヶ月に１回など、通常の可燃性ゴミ（生ゴミ）、不燃ゴミ等の回収間隔より遥かに長い。
【０００８】
このため、多くの可燃性資源ゴミは、生ゴミを含む一般の可燃性ゴミと一緒に出され、焼却処理されているのが現状である。アルミ缶等の不燃性ゴミも状況は同じで、焼却ではないが、一括廃棄され、分別リサイクル化が困難なのが現状である。
【０００９】
資源ゴミのリサイクル化を促進するために、特許文献１・２等において、ゴミ収集システムが提案されている。
【００１０】
しかし、何れも、計量器付きゴミ収集車で回収し、計量結果から回収料金を演算し、ゴミ提出者に課金請求書を送付するものであり、資源ゴミの分別回収に積極的に協力する動機付けが発生しない。
【００１１】
わずかに、特許文献３において、循環資源（資源ゴミ）を計量して、計量値に基づき再利用する場合に必要な環境負荷量を求め、環境負荷軽減量から現金等に換算できるポイントとして還元することが提案されている（段落００２９等参照）。
【００１２】
しかし、特許文献３においては、分別回収の具体的システムについては、何ら開示若しくは示唆されていない。
【先行技術文献】
【特許文献】
【００１３】
【特許文献１】特開２００２−２４３６５号公報（要約等）
【特許文献２】特開２００５−２４２５２３号公報
【特許文献３】特開２００９−２１１３８３号公報（要約等）
【発明の概要】
【発明が解決しようとする課題】
【００１４】
本発明は、上記にかんがみて、資源ゴミの分別回収が加速（促進）されることが期待できる新規な構成の資源ゴミ回収ヤードを提供することを目的とする。
【課題を解決するための手段】
【００１５】
本発明者は、上記課題を解決するために、鋭意開発に努力をした結果、下記構成の資源ゴミ回収ヤードに想到した。
【００１６】
主として家庭から出る資源ゴミを分別回収する資源ゴミ回収ヤードであって、
入口から出口に向かう車両進入路に沿って配される停車スペースと、該各停車スペースに対応して配される計量装置とを備えた回収ゾーン組が１組又は複数組設置され、
前記計量装置は、資源ゴミの種類に対応したゴミを投入可能なゴミ投入容器を載置可能で一括計量又は個別計量可能な計量台、及び、該計量台に接続されてゴミ投入量を計量する計量部を備え、
さらに、前記計量装置の計量部からの計量値信号を受信するマイクロコンピュータ（ＭＣ）を備え、
該ＭＣは、前記計量値信号から一度分投入量を求めるとともに、該一度分投入量に設定単価を掛けて環境報奨ポイントを求める演算部、及び、該環境報奨ポイントに係る情報を外部記憶手段や印字手段に出力する出力部を備え、
さらに、前記停車スペース及び該停車スペースに対応する計量装置が連続的に２組以上配されているとともに、前記停車スペースおよび前記計量装置が共に直列式又は並列式に配置されて、前記各ゴミ投入容器にドライブスルーによる資源ゴミの投入が可能とされている、ことを特徴とする。
【００１７】
資源ゴミの分別回収に際して、それらの資源ゴミを一括計量するため、演算回路も簡単で、さらに、従来のように課金されるのではなくて環境報奨ポイントとして還元されるため、資源ゴミ出しの動機付けが強化される。
【００１８】
そして、資源ゴミ回収ヤードをスーパ・コンビニ等の小売店の一隅に設置すれれば、買い物のついでに立ち寄ることができ、ゴミ運搬のための燃料消費の増大が殆どない。さらに、環境報奨ポイントを該小売店の買い物に使用できるようにすれば、小売店の集客力も増大する。
【図面の簡単な説明】
【００１９】
【図１】本発明の一実施形態における資源ゴミ回収ヤードの概略斜視図である。
【図２】（Ａ）、（Ｂ）は、それぞれゴミ回収ヤードで使用するゴミ投入容器（ゴミ投入かご）の各形態を示す斜視図である。
【図３】（Ａ）、（Ｂ）は、本発明に使用する計量台付き計量装置のモデル平面図及びモデル断面図である。
【図４】ゴミ回収ヤードにおける回収システムのフローチャートである。
【図５】（Ａ）、（Ｂ）は、資源ゴミ回収ヤードにおける停車スペースとゴミ計量装置からなるゴミ回収ゾーンの他の配置形態を示す概略俯瞰図である。
【発明を実施するための形態】
【００２０】
以下、資源ゴミ回収ヤードの一実施形態を、図例に基づいて説明する。
【００２１】
図１に示す如く資源ゴミ回収ヤードは、矩形の所定区画を柵１１で囲み、左側柵１１ａの手前側に入口（ＩＮ）１３が、右側柵１１ｂの奥側に出口（ＯＵＴ）１５が設けられている。それらの入口１３・出口１５はスライド門扉１７、１９で開閉可能となっている。そして、入口１３から前側塀１１ｃに沿って車両進入路２１とされ、該車両進入路２１は、右側柵１１ｂまで伸び、屈曲して右側柵１１ｂに沿って出口１５に向かう車両退出路２３とされている。さらに、図例では、左側柵１１ａの中央部に、コンテナ回収トラックのトラック用出入口１６が設けられ、該出入口１６も、スライド門扉１８で開閉可能となっており、該トラック用出入口１６の手前には、時間外用のゴミ分別回収コンテナ２０が配されている。当然、ゴミ分別回収コンテナ２０に投入しても、環境報奨ポイントはもらえない。
【００２２】
そして、車両進入路２１に沿って配される停車スペース２５と、該各停車スペース２５に対応して（通常接して）配される計量装置２７とを備えた回収ゾーン組２９が複数組（図例は４組）設置されている。回収ゾーン組２９は１組でもよいが、通常、ゴミ投入までの待機時間を短縮するため、２組、さらには、３〜５組（図例では４組）設置することが望ましい。
【００２３】
図例中、２２は車止め、４１はストック／運搬用コンテナであり、４３はフォークリフトであり、４５は事務所兼倉庫である。
【００２４】
上記計量装置２７は、資源ゴミの種類に対応した数のゴミ投入容器３１、３１Ａを載置可能な計量台３３、該計量台３３に接続されゴミ投入量を計量する計量部（ロードセル等）３４を備えている。
【００２５】
そして、計量装置２７と一体的に、又は、別体的に該計量部３４からの計量値信号を受信するマイクロコンピュータＭＣを備えている（図３（Ｂ）参照）。即ち、計量装置２７ごとにＭＣを付設してもよいが、複数台の計量装置２７の各計量部からの信号を受信可能に一台又は複数台のＭＣで兼ねるようにしてもよい。
【００２６】
そして、ＭＣは、計量値信号から一度分投入量を求めるとともに、該一度分投入量に設定単価を掛けて環境報奨ポイントを求める演算部３６を備え、該環境報奨ポイントに係る情報を外部記憶手段（磁気カード）３９や印字装置４０に出力する出力部３８を備えている。具体的には、一度分投入毎に一括計量後の合計投入量を記憶する記憶部３７を備えるとともに、演算部３６が、該記憶部３７からの一度分投入前の合計投入量を呼びだして、一度分投入後の合計投入量との累積差から環境報奨ポイントを求め可能となっている。
【００２７】
ゴミ投入容器３１、３１Ａは、通常、図２に示す如く、外側からの視認が容易かつ軽量化・強度の見地から金属カゴ体とすることが望ましい。外側からの視認が容易であることにより、ゴミの分別投入の間違いが発生し難くなる。そして、各ゴミ投入容器３１、３１Ａは、一杯になったとき、フォークリフト４３により持ち上げ、回転（反転）させて、ストック／運搬用コンテナ４１に投下搬入可能なように、一対のフォーク挿入用穴３１ａを備えている。なお、ゴミ投入容器３１Ａは、間仕切り３１ｂを備え、二種の資源ゴミ（例えば、スチール缶とアルミ缶）を回収可能としたもので、一方にはロック機構付きの投下用扉３１ｃが取付けられている。なお、ゴミ投入容器はフレコンとしてもよい。また、ゴミ投入容器３１、３１Ａの底面に紐や操作ロッドでロック解除可能な投下用扉を設け、ゴミ投入容器を吊り下げ移動可能としてもよい。
【００２８】
計量装置２７も、上記要件を満たすものであれば、特に限定されない。例えば、図３に示す如く、資源ゴミの種類に対応した数のゴミ投入容器３１、３１Ａを載置可能な計量台３３の裏面に接続する計量部３４としては、荷重により生じるひずみを電気信号に変換するロードセル（荷重変換器）を使用可能である。例えば、特開２００８−１８５４３０に記載されたロードセルユニット等を使用可能であるが、単純構造のものでも、本実施形態では、使用可能である。計量台３３は、その上面にゴミ投入容器３１、３１Ａを保持可能に保持枠３３ａが形成されている。
【００２９】
なお、出力部３８は終了ボタン（終了ボタン）で起動可能となっているが、自動車の退出信号で起動させるようにしてもよい。
【００３０】
演算部３６で、一度分投入量に単価を掛けて求めた環境報奨ポイント（情報信号）を、出力部３８から磁気カード３９や携帯電話等の受信手段へ出力したり、印字手段（印字装置）４０に出力したりすることが可能となっている。印字装置４０では、印字用シートに印字する。
【００３１】
この環境報奨ポイントは、本発明の資源ゴミ回収ヤードを設置した、小売店の買い物ポイントとして使用可能とすることが望ましい。
【００３２】
なお、上記において記憶部３７を設けずに、一度分投入毎に合計投入量をリセットして、計量装置から直接一度分投入量を求め、該一度分投入量から環境報奨ポイントを求めた、一度分投入量を印字したりして、一度分投入量に応じて、事務所等で人手により計算して、環境報奨ポイントのレシートを手渡すようにしてもよい。
【００３３】
上記実施形態の資源ゴミ回収ヤードの利用は、下記の如く行なう（図４参照）。
【００３４】
先ず、予め、資源ゴミとなる新聞や段ボールさらにはアルミ缶等を分別して自家用車に積載して、目的とするスーパ等の小売店に向かい、そこに設置されている資源ゴミ回収ヤードの車両進入路２１から各停車スペース２５に進入して車を車庫入れ停車する。降車して各ゴミ投入容器に分別投入する。
【００３５】
ここで、例を挙げると、一番左側の投入容器３１Ａをアルミ缶、スチール缶の投入用とするとともに、該投入容器３１Ａに続く各投入容器３１、・・・を、新聞紙、古紙、段ボールの各投入用とする。
【００３６】
そして、一度分投入終了したら終了ボタン等にタッチして、ＭＣの演算部３６を作動させる。すると、演算部３６では、前回累積値を記憶部３７から呼び出して、今回累積値との累積差を計算して一度分投入量を求めるとともに、該一度分投入量に設定単価を掛けて環境報償ポイントを求める。該環境報償ポイントの信号は、出力部３８から、磁気カード３９等の外部記憶手段に入力するか、又は、印字装置（印字手段）４０から印字用シート等に印字する。そして、環境報償ポイントは、買い物ポイントとしたり換金したりすることができる。
【００３７】
停車スペース２５および計量装置２７の配置形式は、図例のものに限られず、図５（Ａ）に示す如く、停車スペース２５および計量装置２７を共に、直列式としてもよい。また、図５（Ｂ）に示すように、停車スペース２５および計量装置２７を共に、並列式としてもよい。なお、図例中、２２Ａは車両停止ラインである。
【００３８】
このように配置することにより、停車に際して、車庫入れ的な方向転換をする必要がなく、また、ゴミ量が少ない場合は、車から降りずに窓から各ゴミ投入カゴに投入可能で、ドライブスルー的なゴミ排出が可能となる。
【００３９】
なお、本発明は、上記実施形態に限られず、下記のような種々の変形態様が考えられる。
【００４０】
計量装置として、前記ゴミ投入容器を載置可能で一括計量可能な計量台の代わりに、入庫時の自動車と出庫時の自動車の重量差を計測する計量部を備えた計量装置に代替又は併用することもできる。併用とした場合は、資源ゴミの投入誤魔化しを防ぎ易くなる。
【００４１】
また、資源ゴミの種類に対応した数のゴミ投入容器ごとに、投入量を計量し、資源ゴミの種類に対応した個別の設定単価を掛けて環境報奨ポイントを求めることができるようにしてもよい。
【００４２】
さらに、資源ゴミ投入の誤魔化し防止の見地から、防犯カメラを設置してもよい。
【符号の説明】
【００４３】
１３・・・車両の入口
１５・・・車両の出口
２１・・・車両進入路
２３・・・車両退出路
２５・・・停車スペース
２７・・・計量装置
２９・・・回収ゾーン組
３１・・・ゴミ投入容器（ゴミ投入カゴ）
３３・・・計量台
３４・・・計量部（ロードセル）
【図１】
0005529723.tif 000002
【図２】
0005529723.tif 000003
【図３】
0005529723.tif 000004
【図４】
0005529723.tif 000005
【図５】
0005529723.tif 000006